(57)【要約】      （修正有）【課題】発電機を持続的に駆動して安定に発電できるエネルギー変換機構を提供する。【解決手段】テーブル１のスタンド１０に、設置された平行式ねじり力ホイール装置において、二つのダイヤル１６の中心に、第一伝動軸１７が貫設され、二つのダイヤルの間に、ピニオン１８が設置され、ダイヤルに、複数の軸心が形成され、複数の軸心に、複数のブルギヤー２０と重力ブロック２５が連接されることにより、複数のブルギヤーとピニオンとが噛み合い、上方のダイヤルには、伝動ブルギヤー１５と伝動ピニオン１４により、小さいモーターＭが連接され、下方のダイヤルには、二つのステアリングギヤＧ１，Ｇ２ともう一つの水平配置された第二伝動軸Ｌにより、発電機６０が連接される。小さいモーターで、複数のブルギヤーが、ピニオンを囲んで転動する時、重力ブロックの、遠心力により、強大なねじり力が生成され、持続的に発電機を転動する。【選択図】図８
0003192685.tif 000002
【実用新案登録請求の範囲】
【請求項１】
テーブルに、平行式ねじり力ホイール装置が設置されて、内部中空であるスタンドが設けられ、上記平行式ねじり力ホイール装置において、上下の二つのダイヤルと、上記の上下の二つのダイヤルの間に、複数の等分に配置されたブルギヤーと複数のブルギヤーの一側に設置された重力ブロックとが、設置され、
上記上下の二つのダイヤルの中心に、二つの軸穴が形成され、上記二つの軸穴に、垂直に、第一伝動軸が配置され、上記上方のダイヤルに、伝動ブルギヤーが設置され、上記伝動ブルギヤーの側面に、伝動ピニオンが噛み合い、上記伝動ピニオンの上方に、小さいモーターが設置され、上記下方のダイヤルの底部に、スイベルマウントが固定され、上記スイベルマウントの下方に、垂直に、第一ステアリングギヤが固定され、上記第一ステアリングギヤともう一つの水平に配置された第二ステアリングギヤ及び第二伝動軸により、発電機が接続され、上記第一伝動軸において、上下の二つのダイヤルの間に、上記複数のブルギヤーに噛み合って伝動するピニオンが設置され、上記上下の二つのダイヤルの円周に、等分に、上記複数のブルギヤーが枢着されるための複数の貫通穴が配置され、
上記ブルギヤーの中心に、軸穴が設けられ、上記軸穴に、軸心が枢着され、上記軸心の上下両端が、上下の二つのダイヤルの両貫通穴から伸びだして固定され、上記ブルギヤーの一側に、二つの結合棒を貫設するための二つの貫通穴があり、上記二つの結合棒の上下両端に、上下の二つの重力ブロックが固定され、
上記小さいモーターによって伝動ピニオンが連動され、伝動ブルギヤーに噛み合った後、ダイヤルが駆動され、上記平行式ねじり力ホイール装置の複数のブルギヤーが、第一伝動軸のピニオンの周りを、絶えずに、転動し、ブルギヤーが転動する時、重力ブロックが、奥へ対する重量不均衡のため、遠心力が生成されて、投げ出され、これにより、上記平行式ねじり力ホイール装置に、強大なねじり力が発生し、同時に、上記スイベルマウントの下方において、垂直に配置された第一ステアリングギヤともう一つの水平に配置された第二ステアリングギヤとが噛み合って伝動し、絶えずに、パワーを、上記第二伝動軸へ伝達して、持続的に、発電機を転動させて発電する、ことを特徴とするエネルギー変換機構。
【請求項２】
上記小さいモーターと伝動ピニオンの間に、永久磁石軸結合器が設置されることを特徴とする請求項１に記載のエネルギー変換機構。
【請求項３】
上記水平に配置された第二伝動軸に、永久磁石軸結合器が設置される、ことを特徴とする請求項１に記載のエネルギー変換機構。
【請求項４】
上記水平に配置された第二伝動軸において、上記二つの軸受フレームの間に、エネルギー貯蔵フライホイールが設置されることを特徴とする請求項１に記載のエネルギー変換機構。
【考案の詳細な説明】
【技術分野】
【０００１】
本考案に係るエネルギー変換機構は、発電設備に適用され、特に、小さいモーターにより、平行式ねじり力ホイール装置が連動されて、比較的に大きいねじり力が生成され、上記発電機を持続的に駆動して発電する技術に関する。
【背景技術】
【０００２】
石化エネルギーが、少しずつ枯れていき、また、近年、石化燃料が、環境に対する衝撃が明白的になるため、代替として、例えば、風力、太陽エネルギー、海洋エネルギー、水力、地熱及びバイオマスエネルギー等のエネルギーを、如何に有効的に利用することは、至急の課題になっている。
【０００３】
風力や水力発電としては、風車や水車で風や水の運動エネルギーを回転作動に変換して発電機を駆動することと定義されることができ、風力や水力発電が、汚染のない清潔なエネルギーであり、安全や環境保護の効果が得られるが、既存の技術のある発電設備は、例えば、小型の波浪エネルギー発電機や風力発電機は、風や水がない時、或いは風力や水力が快速的に変化する時、発電機に出力されるパワーも、それとともに、変化し、発電機の出力する発電力が、安定できないと、末端の電力を利用する回路に対して障害を与える問題は、残されている。
【０００４】
本考案者は、上記欠点を解消するため、慎重に研究し、また、学理を活用して、有効に上記欠点を解消でき、設計が合理である本実用新案を提案する。
【考案の開示】
【考案が解決しようとする課題】
【０００５】
本考案の目的は、テーブルにおいて、スタンドに、平行式ねじり力ホイール装置が設置され、小さいモーターによって、平行式ねじり力ホイール装置が連動されて、上記平行式ねじり力ホイール装置により、強大なねじり力が生成され、持続的なパワーにより、絶えずに、発電機が駆動されて、発電を行い、上記平行式ねじり力ホイール装置により、駆動する時に、必要とする馬力が低減されて、回転速度を増大させ、回転速度が大きければ、遠心力が大きくなり、それとともに、ねじり力も高くなるエネルギー変換機構を提供する
【課題を解決するための手段】
【０００６】
請求項１の考案は、テーブルに、平行式ねじり力ホイール装置が設置されて、内部中空であるスタンドが設けられ、上記平行式ねじり力ホイール装置において、上下の二つのダイヤルと、上記の上下の二つのダイヤルの間に、複数の等分に配置されたブルギヤーと複数のブルギヤーの一側に設置された重力ブロックとが、設置され、上記上下の二つのダイヤルの中心に、二つの軸穴が形成され、上記二つの軸穴に、垂直に、第一伝動軸が配置され、上記上方のダイヤルに、伝動ブルギヤーが設置され、上記伝動ブルギヤーの側面に、伝動ピニオンが噛み合い、上記伝動ピニオンの上方に、小さいモーターが設置され、上記下方のダイヤルの底部に、スイベルマウントが固定され、上記スイベルマウントの下方に、垂直に、第一ステアリングギヤが固定され、上記第一ステアリングギヤともう一つの水平に配置された第二ステアリングギヤ及び第二伝動軸により、発電機が接続され、上記第一伝動軸において、上下の二つのダイヤルの間に、上記複数のブルギヤーに噛み合って伝動するピニオンが設置され、上記上下の二つのダイヤルの円周に、等分に、上記複数のブルギヤーが枢着されるための複数貫通穴が配置され、上記ブルギヤーの中心に、軸穴が設けられ、上記軸穴に、軸心が枢着され、上記軸心の上下両端が、上下の二つのダイヤルの両貫通穴から伸びだして固定され、上記ブルギヤーの一側に、二つの結合棒を貫設するための二つの貫通穴があり、上記二つの結合棒の上下両端に、上下の二つの重力ブロックが固定され、上記小さいモーターによって伝動ピニオンが連動され、伝動ブルギヤーに噛み合った後、ダイヤルが駆動され、上記平行式ねじり力ホイール装置の複数のブルギヤーが、第一伝動軸のピニオンの周りを、絶えずに、転動し、ブルギヤーが転動する時、重力ブロックが、奥へ対する重量不均衡のため、遠心力が生成されて、投げ出され、これにより、上記平行式ねじり力ホイール装置に、強大なねじり力が発生し、同時に、上記スイベルマウントの下方において、垂直に配置された第一ステアリングギヤともう一つの水平に配置された第二ステアリングギヤに噛み合って伝動し、絶えずに、パワーを、上記第二伝動軸へ伝達して、持続的に、発電機を転動させて発電する、ことを特徴とするエネルギー変換機構である。
【０００７】
請求項２の考案は、上記小さいモーターと伝動ピニオンの間に、永久磁石軸結合器が設置されることを特徴とする請求項１に記載のエネルギー変換機構である。
【０００８】
請求項３の考案は、上記水平に配置された第二伝動軸に、永久磁石軸結合器が設置される、ことを特徴とする請求項１に記載のエネルギー変換機構である。
【０００９】
請求項４の考案は、上記水平に配置された第二伝動軸において、上記二つの軸受フレームの間に、エネルギー貯蔵フライホイールが設置されることを特徴とする請求項１に記載のエネルギー変換機構である。
【００１０】
以下、図面を参照しながら、本実用新案の特徴や技術内容について、詳しく説明するが、それらの図面等は、参考や説明のためであり、本実用新案は、それによって制限されることが無い。
【考案を実施するための形態】
【００１１】
図１乃至図４は、本考案のエネルギー変換機構である。
【００１２】
本考案によれば、テーブル１に、スタンド１０が設けられ、上記スタンド１０の上方に、複数のボルトＰとブッシュＱにより、カーバ体１１が固定され、上記カーバ体１１の中心に、第一軸受金座１１１が設けられ、上記カーバ体１１において、第一軸受金座１１１の側面に、第二軸受金座１１２が設けられ、上記第一軸受金座１１１と第二軸受金座１１２に、複数のボルトＰにより、第一スリーブ１２と第二スリーブ１３が固定され、上記第一スリーブ１２の上方に、ボルトＰとブッシュＱによって、垂直に配置された第一伝動軸１７が不動的に固定され、上記第二スリーブ１３の内部に、軸受Ｂが設置されて、ナットＮにより、伝動ピニオン１４が固定され、上記伝動ピニオン１４の上端に、小さいモーターＭが接続され、上記小さいモーターＭと伝動ピニオン１４との間に、永久磁石軸結合器３０が設置され、上記永久磁石軸結合器３０が、インナーロータ３１とアウターロータ３２との間にある磁力によって、トルクが伝達され、それとともに、遠心力ねじり力が小さいモーターＭに作用することを防止し、上記伝動ピニオン１４の側面に、伝動ブルギヤー１５が噛み合い、上記スタンド１０の内部が中空で、平行式ねじり力ホイール装置２が収納され、上記平行式ねじり力ホイール装置２は、上下の二つのダイヤル１６の中心に、二つの軸穴１６１が形成され、上記二つの軸穴１６１に、垂直的に配置された第一伝動軸１７が枢着されるための二つの軸受Ｂがセットされ、同時に、上記伝動ブルギヤー１５が、複数のボルトＰにより、上方のダイヤル１６の頂部に固定され、上記平行式ねじり力ホイール装置２が、伝動ブルギヤー１５とともに、同期に転動でき、上記垂直的に配置された第一伝動軸１７が、二つのダイヤル１６の間に位置し、ボルトＰにより、ピニオン１８が固定され、また、上記平行式ねじり力ホイール装置２に噛み合う複数のブルギヤー２０として利用される。
【００１３】
図５乃至図６のように、上記平行式ねじり力ホイール装置２には、等分に、複数のブルギヤー２０が配置され、上記ブルギヤー２０の中心に、軸穴２１が形成され、上記軸穴２１の内部に、軸心２３を枢着するための二つの軸受Ｂがセットされ、上記軸心２３の上下両端に、上下の二つのダイヤル１６の二つの貫通穴１６２から伸び出したおねじ２３１が形成され、また、二つのナットＮにより、上下の二つのダイヤル１６に固定され、上記ブルギヤー２０の一側に、二つの貫通穴２２が形成され、上記二つの貫通穴２２に、二つの結合棒２４が貫設され、上記二つの結合棒２４の上下両端に、おねじ２４１が形成されて、上下二つの重力ブロック２５が貫設され、上記二つの重力ブロック２５において、二つの結合棒２４に対応した位置に、同軸心の大きい穴２５１と小さい穴２５２が形成され、小さい穴２５２の内径が、結合棒２４の外径に相当し、大きい穴２５１に、ナットＮとガスケットＲとが埋められて、結合棒２４のおねじ２４１と螺着し、上記二つのダイヤル１６の円周に、等分に、上記平行式ねじり力ホイール装置２が枢着されるための複数の貫通穴１６２が配置され、上記テーブル１において、下方のダイヤル１６の底部に対応して、複数のボルトＰにより、スイベルマウント１９が固定され、上記スイベルマウント１９の下方に、第一ステアリングギヤＧ１が固定され、上記垂直的に配置された第一ステアリングギヤＧ１と他の水平的に配置された第二ステアリングギヤＧ２とが噛み合うことにより伝動でき、上記第二ステアリングギヤＧ２が、軸結合器Ｃと他の水平的に配置された第二伝動軸Ｌによって連接され、上記水平的に配置された第二伝動軸Ｌは、二つの軸受フレームＡとギヤボックス５０により、テーブル１に設置され、上記二つの軸受フレームＡの間に、エネルギー貯蔵フライホイール４０が設けられ、上記エネルギー貯蔵フライホイール４０の慣性を補助として、上記水平的に配置された第二伝動軸Ｌが、持続的に転動でき、上記水平的に配置された第二伝動軸Ｌに、さらに、永久磁石軸結合器３０が設置され、上記水平的に配置された第二伝動軸Ｌのパワーで、ギヤボックス５０を介して、必要とする回転速度を調整した後、即ち、発電機６０に連接されて発電し、上記発電機６０に、発電作業全体を制御する制御ボックス６１が設置される。
【００１４】
上記各素子からなる本考案によれば、図７と図８のように、はじめに、小さいモーターＭで、伝動ピニオン１４が連動されて、伝動ブルギヤー１５に噛み合った後、ダイヤル１６へ伝動し、上記平行式ねじり力ホイール装置２の複数のブルギヤー２０が、第一伝動軸１７のピニオン１８に囲んで、持続的に転動でき、ブルギヤー２０が転動する時、重力ブロック２５が、奥へ対する重量不均衡のため、遠心力が生成されて、投げ出され、これにより、上記平行式ねじり力ホイール装置２に、強大なねじり力が発生し、同時に、上記スイベルマウント１９の下方において、垂直に配置された第一ステアリングギヤＧ１ともう一つの水平に配置された第二ステアリングギヤＧ２とが噛み合って伝動し、絶えずに、パワーを上記第二伝動軸Ｌへ伝達して、持続的に、発電機６０を転動させて発電する。
【００１５】
そのため、本実用新案は、より進歩的かつより実用的で、法に従って実用新案登録を出願する。
【００１６】
以上は、ただ、本実用新案のより良い実施例であり、本実用新案は、それによって制限されることが無く、本実用新案に係わる実用新案登録請求の範囲や明細書の内容に基づいて行った等価の変更や修正は、全てが、本実用新案の実用新案登録請求の範囲内に含まれる。
【図面の簡単な説明】
【００１７】
【図１】本考案の立体組立て断面図
【図２】本考案の立体分解図
【図３】本考案の断面組立て図
【図４】図３の転動する時、外へ対して不均衡になって、投げ出された状態のＢ−Ｂ断面図
【図５】本考案の平行式ねじり力ホイール装置の立体分解図
【図６】本考案のブルギヤーと垂直伝動軸及び重力ブロックの立体分解図
【図７】本考案の重力ブロックが奥へ対する重量不均衡になって、投げ出された状態の作動図
【図８】本考案の発電機が連接された時の発電状態図
【符号の説明】
【００１８】
１      テーブル
１０    スタンド
１１    カーバ体
１１１  第一軸受金座
１１２  第二軸受金座
１２    第一スリーブ
１３    第二スリーブ
１４    伝動ピニオン
１５    伝動ブルギヤー
１６    ダイヤル
１６１  軸穴
１６２  貫通穴
１７    第一伝動軸
１８    ピニオン
１９    スイベルマウント
２      平行式ねじり力ホイール装置
２０    ブルギヤー
２１    軸穴
２２    貫通穴
２３    軸心
２３１  おねじ
２４    結合棒
２４１  おねじ
２５    重力ブロック
２５１  大きい穴
２５２  小さい穴
３０    永久磁石軸結合器
３１    インナーロータ
３２    アウターロータ
４０    エネルギー貯蔵フライホイール
５０    ギヤボックス
６０    発電機
６１    制御ボックス
Ａ      軸受フレーム
Ｃ      軸結合器
Ｇ１    第一ステアリングギヤ
Ｇ２    第二ステアリングギヤ
Ｌ      第二伝動軸
Ｍ      小さいモーター
Ｎ      ナット
Ｐ      ボルト
Ｑ      ブッシュ
Ｒ      ガスケット
【図１】
0003192685.tif 000003
【図２】
0003192685.tif 000004
【図３】
0003192685.tif 000005
【図４】
0003192685.tif 000006
【図５】
0003192685.tif 000007
【図６】
0003192685.tif 000008
【図７】
0003192685.tif 000009
【図８】
0003192685.tif 000010
【手続補正書】
【提出日】平成26年6月17日(2014.6.17)
【手続補正１】
【補正対象書類名】明細書
【補正対象項目名】全文
【補正方法】変更
【補正の内容】
【考案の詳細な説明】
【技術分野】
【０００１】
本考案に係るエネルギー変換機構は、発電設備に適用され、特に、小さいモーターにより、平行式ねじり力ホイール装置が連動されて、比較的に大きいねじり力が生成され、上記発電機を持続的に駆動して発電する技術に関する。
【背景技術】
【０００２】
石化エネルギーが、少しずつ枯れていき、また、近年、石化燃料が、環境に対する衝撃が明白的になるため、代替として、例えば、風力、太陽エネルギー、海洋エネルギー、水力、地熱及びバイオマスエネルギー等のエネルギーを、如何に有効的に利用することは、至急の課題になっている。
【０００３】
風力や水力発電としては、風車や水車で風や水の運動エネルギーを回転作動に変換して発電機を駆動することと定義されることができ、風力や水力発電が、汚染のない清潔なエネルギーであり、安全や環境保護の効果が得られるが、既存の技術のある発電設備は、例えば、小型の波浪エネルギー発電機や風力発電機は、風や水がない時、或いは風力や水力が快速的に変化する時、発電機に出力されるパワーも、それとともに、変化し、発電機の出力する発電力が、安定できないと、末端の電力を利用する回路に対して障害を与える問題は、残されている。
【０００４】
本考案者は、上記欠点を解消するため、慎重に研究し、また、学理を活用して、有効に上記欠点を解消でき、設計が合理である本実用新案を提案する。
【考案の概要】
【考案が解決しようとする課題】
【０００５】
本考案の目的は、テーブルにおいて、スタンドに、平行式ねじり力ホイール装置が設置され、小さいモーターによって、平行式ねじり力ホイール装置が連動されて、上記平行式ねじり力ホイール装置により、強大なねじり力が生成され、持続的なパワーにより、絶えずに、発電機が駆動されて、発電を行い、上記平行式ねじり力ホイール装置により、駆動する時に、必要とする馬力が低減されて、回転速度を増大させ、回転速度が大きければ、遠心力が大きくなり、それとともに、ねじり力も高くなるエネルギー変換機構を提供することにある。
【課題を解決するための手段】
【０００６】
請求項１の考案は、テーブルに、平行式ねじり力ホイール装置が設置されて、内部中空であるスタンドが設けられ、上記平行式ねじり力ホイール装置において、上下の二つのダイヤルと、上記の上下の二つのダイヤルの間に、複数の等分に配置されたブルギヤーと複数のブルギヤーの一側に設置された重力ブロックとが、設置され、上記上下の二つのダイヤルの中心に、二つの軸穴が形成され、上記二つの軸穴に、垂直に、第一伝動軸が配置され、上記上方のダイヤルに、伝動ブルギヤーが設置され、上記伝動ブルギヤーの側面に、伝動ピニオンが噛み合い、上記伝動ピニオンの上方に、小さいモーターが設置され、上記下方のダイヤルの底部に、スイベルマウントが固定され、上記スイベルマウントの下方に、垂直に、第一ステアリングギヤが固定され、上記第一ステアリングギヤともう一つの水平に配置された第二ステアリングギヤ及び第二伝動軸により、発電機が接続され、上記第一伝動軸において、上下の二つのダイヤルの間に、上記複数のブルギヤーに噛み合って伝動するピニオンが設置され、上記上下の二つのダイヤルの円周に、等分に、上記複数のブルギヤーが枢着されるための複数貫通穴が配置され、上記ブルギヤーの中心に、軸穴が設けられ、上記軸穴に、軸心が枢着され、上記軸心の上下両端が、上下の二つのダイヤルの両貫通穴から伸びだして固定され、上記ブルギヤーの一側に、二つの結合棒を貫設するための二つの貫通穴があり、上記二つの結合棒の上下両端に、上下の二つの重力ブロックが固定され、上記小さいモーターによって伝動ピニオンが連動され、伝動ブルギヤーに噛み合った後、ダイヤルが駆動され、上記平行式ねじり力ホイール装置の複数のブルギヤーが、第一伝動軸のピニオンの周りを、絶えずに、転動し、ブルギヤーが転動する時、重力ブロックが、奥へ対する重量不均衡のため、遠心力が生成されて、投げ出され、これにより、上記平行式ねじり力ホイール装置に、強大なねじり力が発生し、同時に、上記スイベルマウントの下方において、垂直に配置された第一ステアリングギヤともう一つの水平に配置された第二ステアリングギヤに噛み合って伝動し、絶えずに、パワーを、上記第二伝動軸へ伝達して、持続的に、発電機を転動させて発電する、ことを特徴とするエネルギー変換機構である。
【０００７】
請求項２の考案は、上記小さいモーターと伝動ピニオンの間に、永久磁石軸結合器が設置されることを特徴とする請求項１に記載のエネルギー変換機構である。
【０００８】
請求項３の考案は、上記水平に配置された第二伝動軸に、永久磁石軸結合器が設置される、ことを特徴とする請求項１に記載のエネルギー変換機構である。
【０００９】
請求項４の考案は、上記水平に配置された第二伝動軸において、上記二つの軸受フレームの間に、エネルギー貯蔵フライホイールが設置されることを特徴とする請求項１に記載のエネルギー変換機構である。
【図面の簡単な説明】
【００１０】
【図１】本考案の立体組立て断面図である。
【図２】本考案の立体分解図である。
【図３】本考案の断面組立て図である。
【図４】図３の転動する時、外へ対して不均衡になって、投げ出された状態のＢ−Ｂ断面図である。
【図５】本考案の平行式ねじり力ホイール装置の立体分解図である。
【図６】本考案のブルギヤーと垂直伝動軸及び重力ブロックの立体分解図である。
【図７】本考案の重力ブロックが奥へ対する重量不均衡になって、投げ出された状態の作動図である。
【図８】本考案の発電機が連接された時の発電状態図である。
【考案を実施するための形態】
【００１１】
以下、図面を参照しながら、本実用新案の特徴や技術内容について、詳しく説明するが、それらの図面等は、参考や説明のためであり、本実用新案は、それによって制限されることが無い。
図１乃至図４は、本考案のエネルギー変換機構である。
【００１２】
本考案によれば、テーブル１に、スタンド１０が設けられ、上記スタンド１０の上方に、複数のボルトＰとブッシュＱにより、カーバ体１１が固定され、上記カーバ体１１の中心に、第一軸受金座１１１が設けられ、上記カーバ体１１において、第一軸受金座１１１の側面に、第二軸受金座１１２が設けられ、上記第一軸受金座１１１と第二軸受金座１１２に、複数のボルトＰにより、第一スリーブ１２と第二スリーブ１３が固定され、上記第一スリーブ１２の上方に、ボルトＰとブッシュＱによって、垂直に配置された第一伝動軸１７が不動的に固定され、上記第二スリーブ１３の内部に、軸受Ｂが設置されて、ナットＮにより、伝動ピニオン１４が固定され、上記伝動ピニオン１４の上端に、小さいモーターＭが接続され、上記小さいモーターＭと伝動ピニオン１４との間に、永久磁石軸結合器３０が設置され、上記永久磁石軸結合器３０が、インナーロータ３１とアウターロータ３２との間にある磁力によって、トルクが伝達され、それとともに、遠心力ねじり力が小さいモーターＭに作用することを防止し、上記伝動ピニオン１４の側面に、伝動ブルギヤー１５が噛み合い、上記スタンド１０の内部が中空で、平行式ねじり力ホイール装置２が収納され、上記平行式ねじり力ホイール装置２は、上下の二つのダイヤル１６の中心に、二つの軸穴１６１が形成され、上記二つの軸穴１６１に、垂直的に配置された第一伝動軸１７が枢着されるための二つの軸受Ｂがセットされ、同時に、上記伝動ブルギヤー１５が、複数のボルトＰにより、上方のダイヤル１６の頂部に固定され、上記平行式ねじり力ホイール装置２が、伝動ブルギヤー１５とともに、同期に転動でき、上記垂直的に配置された第一伝動軸１７が、二つのダイヤル１６の間に位置し、ボルトＰにより、ピニオン１８が固定され、また、上記平行式ねじり力ホイール装置２に噛み合う複数のブルギヤー２０として利用される。
【００１３】
図５乃至図６のように、上記平行式ねじり力ホイール装置２には、等分に、複数のブルギヤー２０が配置され、上記ブルギヤー２０の中心に、軸穴２１が形成され、上記軸穴２１の内部に、軸心２３を枢着するための二つの軸受Ｂがセットされ、上記軸心２３の上下両端に、上下の二つのダイヤル１６の二つの貫通穴１６２から伸び出したおねじ２３１が形成され、また、二つのナットＮにより、上下の二つのダイヤル１６に固定され、上記ブルギヤー２０の一側に、二つの貫通穴２２が形成され、上記二つの貫通穴２２に、二つの結合棒２４が貫設され、上記二つの結合棒２４の上下両端に、おねじ２４１が形成されて、上下二つの重力ブロック２５が貫設され、上記二つの重力ブロック２５において、二つの結合棒２４に対応した位置に、同軸心の大きい穴２５１と小さい穴２５２が形成され、小さい穴２５２の内径が、結合棒２４の外径に相当し、大きい穴２５１に、ナットＮとガスケットＲとが埋められて、結合棒２４のおねじ２４１と螺着し、上記二つのダイヤル１６の円周に、等分に、上記平行式ねじり力ホイール装置２が枢着されるための複数の貫通穴１６２が配置され、上記テーブル１において、下方のダイヤル１６の底部に対応して、複数のボルトＰにより、スイベルマウント１９が固定され、上記スイベルマウント１９の下方に、第一ステアリングギヤＧ１が固定され、上記垂直的に配置された第一ステアリングギヤＧ１と他の水平的に配置された第二ステアリングギヤＧ２とが噛み合うことにより伝動でき、上記第二ステアリングギヤＧ２が、軸結合器Ｃと他の水平的に配置された第二伝動軸Ｌによって連接され、上記水平的に配置された第二伝動軸Ｌは、二つの軸受フレームＡとギヤボックス５０により、テーブル１に設置され、上記二つの軸受フレームＡの間に、エネルギー貯蔵フライホイール４０が設けられ、上記エネルギー貯蔵フライホイール４０の慣性を補助として、上記水平的に配置された第二伝動軸Ｌが、持続的に転動でき、上記水平的に配置された第二伝動軸Ｌに、さらに、永久磁石軸結合器３０が設置され、上記水平的に配置された第二伝動軸Ｌのパワーで、ギヤボックス５０を介して、必要とする回転速度を調整した後、即ち、発電機６０に連接されて発電し、上記発電機６０に、発電作業全体を制御する制御ボックス６１が設置される。
【００１４】
上記各素子からなる本考案によれば、図７と図８のように、はじめに、小さいモーターＭで、伝動ピニオン１４が連動されて、伝動ブルギヤー１５に噛み合った後、ダイヤル１６へ伝動し、上記平行式ねじり力ホイール装置２の複数のブルギヤー２０が、第一伝動軸１７のピニオン１８に囲んで、持続的に転動でき、ブルギヤー２０が転動する時、重力ブロック２５が、奥へ対する重量不均衡のため、遠心力が生成されて、投げ出され、これにより、上記平行式ねじり力ホイール装置２に、強大なねじり力が発生し、同時に、上記スイベルマウント１９の下方において、垂直に配置された第一ステアリングギヤＧ１ともう一つの水平に配置された第二ステアリングギヤＧ２とが噛み合って伝動し、絶えずに、パワーを上記第二伝動軸Ｌへ伝達して、持続的に、発電機６０を転動させて発電する。
【００１５】
そのため、本実用新案は、より進歩的かつより実用的で、法に従って実用新案登録を出願する。
【００１６】
以上は、ただ、本実用新案のより良い実施例であり、本実用新案は、それによって制限されることが無く、本実用新案に係わる実用新案登録請求の範囲や明細書の内容に基づいて行った等価の変更や修正は、全てが、本実用新案の実用新案登録請求の範囲内に含まれる。
【符号の説明】
【００１７】
１      テーブル
１０    スタンド
１１    カーバ体
１１１  第一軸受金座
１１２  第二軸受金座
１２    第一スリーブ
１３    第二スリーブ
１４    伝動ピニオン
１５    伝動ブルギヤー
１６    ダイヤル
１６１  軸穴
１６２  貫通穴
１７    第一伝動軸
１８    ピニオン
１９    スイベルマウント
２      平行式ねじり力ホイール装置
２０    ブルギヤー
２１    軸穴
２２    貫通穴
２３    軸心
２３１  おねじ
２４    結合棒
２４１  おねじ
２５    重力ブロック
２５１  大きい穴
２５２  小さい穴
３０    永久磁石軸結合器
３１    インナーロータ
３２    アウターロータ
４０    エネルギー貯蔵フライホイール
５０    ギヤボックス
６０    発電機
６１    制御ボックス
Ａ      軸受フレーム
Ｃ      軸結合器
Ｇ１    第一ステアリングギヤ
Ｇ２    第二ステアリングギヤ
Ｌ      第二伝動軸
Ｍ      小さいモーター
Ｎ      ナット
Ｐ      ボルト
Ｑ      ブッシュ
Ｒ      ガスケット